(57)【特許請求の範囲】
【請求項１】
複数の入力チャンネルから入力する音響信号に対して信号処理を施し、複数の混合部でそれらを混合するデジタルミキサであって、
前記各入力チャンネルに、該チャンネルに入力した音響信号の周波数特性を調整する周波数特性調整手段と、該手段による周波数特性調整後の音響信号のレベルを調整する第１のレベル調整手段と、該チャンネルから前記各混合部に伝達する信号のレベルを個別に調整する第２のレベル調整手段とを有し、
前記混合部毎に選択可能なモードとして、
該混合部に入力する信号を前記各入力チャンネルの前記周波数特性調整手段より前、ないし、前記第１のレベル調整手段の後から取得し、かつ該混合部と対応する前記第２のレベル調整手段を有効にする第１のモード、
該混合部に入力する信号を前記各入力チャンネルの前記周波数特性調整手段と前記第１のレベル調整手段との間、ないし、前記第１のレベル調整手段の後から取得し、かつ該混合部と対応する前記第２のレベル調整手段を有効にする第２のモード、および
該混合部に入力する信号を前記各入力チャンネルの前記第１のレベル調整手段よりも後から取得し、かつ該混合部と対応する前記第２のレベル調整手段を無効にする第３のモードのうち少なくとも２つのモードを有し、
前記混合部毎に、当該少なくとも２つのモードのうち１つのモードを択一的に選択する選択手段を設けたことを特徴とするデジタルミキサ。
【請求項２】
複数の入力チャンネルから入力する音響信号に対して信号処理を施し、複数の混合部でそれらを混合するデジタルミキサであって、
前記各入力チャンネルに、該チャンネルに入力した音響信号の周波数特性を調整する周波数特性調整手段と、該手段による周波数特性調整後の音響信号のレベルを調整する第１のレベル調整手段と、該チャンネルから前記各混合部に伝達する信号のレベルを個別に調整する第２のレベル調整手段とを有し、
前記混合部毎に、
該混合部に入力する信号を前記各入力チャンネルの前記周波数特性調整手段より前、ないし、前記第１のレベル調整手段の後から取得し、かつ該混合部と対応する前記第２のレベル調整手段を有効にする第１のモードと、
該混合部に入力する信号を前記各入力チャンネルの前記周波数特性調整手段と前記第１のレベル調整手段との間、ないし、前記第１のレベル調整手段の後から取得し、かつ該混合部と対応する前記第２のレベル調整手段を有効にする第２のモードと、
該混合部に入力する信号を前記各入力チャンネルの前記第１のレベル調整手段よりも後から取得し、かつ該混合部と対応する前記第２のレベル調整手段を無効にする第３のモードと
の選択を、各々近傍に配置された一群の操作子により択一的に受け付ける選択受付手段を設けたことを特徴とするデジタルミキサ。
【請求項３】
請求項２記載のデジタルミキサであって、
前記選択受付手段は、前記混合部２つからなる組毎に前記第１乃至第３のモードの選択を受け付ける手段であり、
前記各組毎に、該組を構成する混合部をステレオ用とモノラル用のいずれとして機能させるかの選択を受け付ける第２の選択受付手段を設けたことを特徴とするデジタルミキサ。
【発明の詳細な説明】
【技術分野】
【０００１】
この発明は、複数の入力チャンネルから入力する音響信号に対して信号処理を施し、複数の混合部でそれらを混合するデジタルミキサに関する。
【背景技術】
【０００２】
従来から、複数の入力チャンネルから入力する音響信号に対して信号処理を施し、複数の混合部でそれらを混合し、混合後の信号を複数の出力チャンネルから出力するデジタルミキサが知られている。そして、このようなデジタルミキサは、サウンド・レインフォースメント（ＳＲ）等の用途で広く用いられている。
【０００３】
ここで、一般的なデジタルミキサの機能構成は、以下のようなものである。
まず、各入力チャンネル（ｃｈ）には、入力パッチを介して外部から音響信号の入力を受け付け、入力した信号の周波数特性やレベル等を調整して、複数の混合バスのうちの所望のバスへ出力する機能を設ける。また、各混合バスには、入力する信号を混合して対応する出力チャンネルに出力する機能を設ける。そして、各出力チャンネルには、入力する信号の周波数特性やレベルを調整して、出力パッチを介して外部へ出力する機能を設ける。
【０００４】
そして、ユーザから種々のパラメータの設定指示を受け付け、設定された値に従って上記の各部の動作を制御する。また、これらのパラメータのうち、各入力ｃｈから各混合バスへの信号送出に関する設定については、入力ｃｈと混合バスの組み合わせ毎に、信号の供給を行うか否か、供給を行う際の入力ｃｈからの信号の出力位置、及び送出レベルを調整可能にするか固定にするか等の設定を受け付けることが行われていた。
【０００５】
なお、送出位置については、入力ｃｈと混合バスの組み合わせ毎の設定として、入力ｃｈのレベル調整部（フェーダ）の前後どちらとするかの設定を受け付けるようにすることが行われている。また、それとは別に、フェーダの前から出力する場合の出力位置を、周波数特性調整部（イコライザ）の前後どちらとするかの設定を受け付けることも行われているが、従来のデジタルミキサにおいては、この設定は、入力ｃｈに関する設定として受け付けるようにしていた。
【０００６】
このようなデジタルミキサについては、例えば以下の非特許文献１及び２に記載されている。
【非特許文献１】「ＤＭ２０００  取扱説明書」，ヤマハ株式会社，２００２年，ｐ．８８−９６
【非特許文献２】「ＰＭ５Ｄ／ＰＭ５Ｄ−ＲＨ  取扱説明書」，ヤマハ株式会社，２００４年，ｐ．２６８−２７６
【発明の開示】
【発明が解決しようとする課題】
【０００７】
ところで、上述した設定項目のうち、入力ｃｈから混合バスへの送出レベルは、バスをエフェクトへ送る信号のミキシングや、出演者がモニタする信号（フォールドバック）のミキシングに利用する場合に調整可能なように、バスを所定のグループに属する一部の入力ｃｈの信号をミキシングするのに用いたり（この場合、混合された信号はステレオバスに送られ、そこで別の信号とミキシングされる）、録音のための図示しないマルチトラックレコーダ（ＭＴＲ）の各トラックに送る信号のミキシングに利用したりする場合に固定に設定することが多い。
また、フォールドバックする入力ｃｈからの送出位置については、混合後の信号の出力先である出演者の手元にその出演者が操作できるイコライザが別途用意されている場合には、当該入力ｃｈのイコライザの前に設定し、出力先に別途イコライザを設けない場合にはイコライザの後ろに設定することが多い。
【０００８】
従って、これらの設定内容は、混合バスで混合した信号の出力先での使われ方、すなわち混合バスで混合された信号の用途に応じて設定を行うことが多い項目であると言える。
しかしながら、上述したような従来のデジタルミキサにおいては、これらの項目の設定は、入力ｃｈと混合バスの組み合わせ毎の設定及び入力ｃｈに関する設定として別々の画面で設定を受け付けていた。そしてこのため、上記のような混合バスの用途に応じて行うことが多い設定も、入力ｃｈ毎に行う必要があり、操作が煩雑である上に、混合バス毎の設定の状態が分かりづらいという問題があった。
【０００９】
この発明は、このような問題を解決し、デジタルミキサにおいて、複数の入力チャンネルから複数の混合部への信号出力に関する設定を、内容を容易に把握できる状態で簡単な操作で行えるようにすることを目的とする。
【課題を解決するための手段】
【００１０】
上記の目的を達成するため、この発明のデジタルミキサは、複数の入力チャンネルから入力する音響信号に対して信号処理を施し、複数の混合部でそれらを混合するデジタルミキサにおいて、上記各入力チャンネルに、そのチャンネルに入力した音響信号の周波数特性を調整する周波数特性調整手段と、その手段による周波数特性調整後の音響信号のレベルを調整する第１のレベル調整手段と、そのチャンネルから上記各混合部に伝達する信号のレベルを個別に調整する第２のレベル調整手段とを設け、上記混合部毎に選択可能なモードとして、その混合部に入力する信号を上記各入力チャンネルの上記周波数特性調整手段より前から取得し、かつその混合部と対応する上記第２のレベル調整手段を有効にする第１のモード、その混合部に入力する信号を上記各入力チャンネルの上記周波数特性調整手段と上記第１のレベル調整手段との間から取得し、かつその混合部と対応する上記第２のレベル調整手段を有効にする第２のモード、およびその混合部に入力する信号を上記各入力チャンネルの上記第１のレベル調整手段よりも後から取得し、かつその混合部と対応する上記第２のレベル調整手段を無効にする第３のモードのうち少なくとも２つのモードを有し、上記混合部毎に、その少なくとも２つのモードのうち１つのモードを択一的に選択する選択手段を設けたものである。
また、この発明の別のデジタルミキサは、複数の入力チャンネルから入力する音響信号に対して信号処理を施し、複数の混合部でそれらを混合するデジタルミキサにおいて、上記各入力チャンネルに、そのチャンネルに入力した音響信号の周波数特性を調整する周波数特性調整手段と、その手段による周波数特性調整後の音響信号のレベルを調整する第１のレベル調整手段と、そのチャンネルから上記各混合部に伝達する信号のレベルを個別に調整する第２のレベル調整手段とを設け、上記混合部毎に、その混合部に入力する信号を上記各入力チャンネルの上記周波数特性調整手段より前から取得し、かつその混合部と対応する上記第２のレベル調整手段を有効にする第１のモードと、その混合部に入力する信号を上記各入力チャンネルの上記周波数特性調整手段と上記第１のレベル調整手段との間から取得し、かつその混合部と対応する上記第２のレベル調整手段を有効にする第２のモードと、その混合部に入力する信号を上記各入力チャンネルの上記第１のレベル調整手段よりも後から取得し、かつその混合部と対応する上記第２のレベル調整手段を無効にする第３のモードとの選択を、各々近傍に配置された一群の操作子により択一的に受け付ける選択受付手段を設けたものである。
【００１１】
このようなデジタルミキサにおいて、上記選択受付手段を、上記混合部２つからなる組毎に上記第１乃至第３のモードの選択を受け付ける手段とし、上記各組毎に、その組を構成する混合部をステレオ用とモノラル用のいずれとして機能させるかの選択を受け付ける第２の選択受付手段を設けるとよい。
【発明の効果】
【００１２】
以上のようなこの発明のデジタルミキサによれば、複数の入力チャンネルから複数の混合部への信号出力に関する設定を、内容を容易に把握できる状態で簡単な操作で行えるようにすることができる。
【発明を実施するための最良の形態】
【００１３】
以下、この発明を実施するための最良の形態を図面に基づいて具体的に説明する。
まず、この発明の実施形態であるデジタルミキサの構成について説明する。図１は、そのデジタルミキサの構成を示すブロック図である。
図１に示す通り、このデジタルミキサ１０は、ＣＰＵ１１，フラッシュメモリ１２，ＲＡＭ１３，表示器１４，操作子１５，外部機器入出力部（Ｉ／Ｏ）１６，波形Ｉ／Ｏ１７，信号処理部（ＤＳＰ）１８を備え、これらがシステムバス１９によって接続されている。そして、複数の入力チャンネル（ｃｈ）から入力する音響信号に対して種々の信号処理を施して複数の出力ｃｈから出力する機能を有する。
【００１４】
そして、ＣＰＵ１１は、このデジタルミキサ１０の動作を統括制御する制御手段であり、フラッシュメモリ１２に記憶された所要のプログラムを実行することにより、外部機器Ｉ／Ｏ１６及び波形Ｉ／Ｏ１７における通信や表示器１４における表示を制御したり、操作子１５の操作を検出してその操作に従ってパラメータの値の設定／変更や各部の動作を制御したりといった処理を行う。
フラッシュメモリ１２は、ＣＰＵ１１が実行する制御プログラム等を記憶する書き換え可能な不揮発性記憶手段である。
【００１５】
ＲＡＭ１３は、一時的に記憶すべきデータを記憶したり、ＣＰＵ１１のワークメモリとして使用したりする記憶手段である。
表示器１４は、ＣＰＵ１１による制御に従って種々の情報を表示する表示手段であり、例えば液晶パネル（ＬＣＤ）や発光ダイオード（ＬＥＤ）によって構成することができる。そして、ＬＣＤは、パラメータの値の参照や設定の受付を行うためのグラフィカル・ユーザ・インタフェース（ＧＵＩ）を表示できるような大きさのものとするのがよい。
【００１６】
操作子１５は、デジタルミキサ１０に対する操作を受け付けるためのものであり、種々のキー、ボタン、ダイヤル、スライダ等によって構成することができる。ここでは、表示器１４のＬＣＤに積層したタッチパネルも用いている。
外部機器Ｉ／Ｏ１６は、種々の外部機器を接続し入出力を行うためのインタフェースであり、例えば外部のディスプレイ、マウス、文字入力用のキーボード、操作パネル等を接続するためのインタフェースが用意される。そして、本体の表示器１４や操作子１５をごく単純な構成にしたとしても、これらの外部機器を活用することによりパラメータの変更／設定や動作指示を行うことができるようにすることも考えられる。
【００１７】
波形Ｉ／Ｏ１７は、ＤＳＰ１８で処理すべき音響信号の入力を受け付け、また処理後の音響信号を出力するためのインタフェースである。そして、この波形Ｉ／Ｏ１７には、１枚で４チャンネル（ｃｈ）のアナログ入力が可能なＡ／Ｄ変換ボード，１枚で４ｃｈのアナログ出力が可能なＤ／Ａ変換ボード，１枚で８ｃｈのデジタル入出力が可能なデジタル入出力ボードを適宜組み合わせて複数枚装着可能であり、実際にはこれらのボードを介して信号の入出力を行う。
【００１８】
ＤＳＰ１８は、信号処理回路を含み、波形Ｉ／Ｏ１７から入力する音響信号に対し、カレントデータとして設定されている各種処理パラメータに従って、ミキシング、イコライジング等の各種信号処理を施して波形Ｉ／Ｏ１７に出力する信号処理部である。この処理に用いるカレントデータは、ＲＡＭ１３あるいはＤＳＰ１８自身に備えるメモリに記憶しておくことができる。
【００１９】
なお、このＤＳＰ１８は、入力ｃｈを２４ｃｈ有し、波形Ｉ／Ｏ１７の入力ｃｈとＤＳＰ１８の入力ｃｈとを入力パッチにより対応付けて、波形Ｉ／Ｏ１７に入力する信号をその対応付けた各入力ｃｈに入力することができる。
また、ＤＳＰ１８は、１対のステレオ（ＳＴ）バスと、１２本の混合（ＭＩＸ）バスを有し、入力ｃｈに入力した信号を、パラメータの設定内容に従って各バスに送出すると共に、同じバスに入力された信号同士をミキシングすることができる。これらの各バス、特にＭＩＸバスが、混合部に該当する。
そして、これらのバスの出力は、対応する出力ｃｈから出力されるが、出力経路についても、入力時の場合と同様に、出力パッチによりＤＳＰ１８の出力ｃｈと波形Ｉ／Ｏ１７の出力ｃｈとを対応付けるようにしている。
【００２０】
なお、ＤＳＰ１８において、各入力ｃｈには、アッテネータ，イコライザ，コンプレッサ，フェーダ，オン等の信号処理部を設けており、これらの各信号処理部において、入力ｃｈに入力した信号を処理することができる。そして、この処理のどの工程の信号をＭＩＸバスに入力するかを、ユーザが設定することができるようにしてる。
また、出力ｃｈにも、アッテネータ，イコライザ，コンプレッサ，フェーダ，オン等の信号処理部を設け、ミキシング後の信号に対して信号処理を行うことができるようにしてもよい。さらに、処理対象の信号にエフェクトを付与するエフェクタを設けてもよい。
【００２１】
次に、図２に、このＤＳＰ１８のうち、各入力ｃｈからＳＴバス及びＭＩＸバスへの信号の入力に関する部分の構成を示す。
図２に示す通り、各入力ｃｈ３０には、アッテネータ３１，イコライザ３２，コンプレッサ３３，フェーダ３４，オンスイッチ３５を設けている。また、その先の、ＳＴバス５０に信号を入力する経路にはパン３６を設け、各ＭＩＸバス６０に信号を入力する経路には、それぞれプリフェーダ／プリイコライザ（ＰＦ／ＰＥＱ）スイッチ４１，プリ／ポスト（ＰＲＥ／ＰＯＳＴ）スイッチ４２，センドレベルフェーダ４３，センドオンスイッチ４４を設けている。
【００２２】
これらのうち、イコライザ３２は、処理対象の信号の周波数特性を調整する周波数特性調整手段であり、フェーダ３４は、処理対象の信号のレベルを調整する第１のレベル調整手段である。また、センドレベルフェーダ４３は、処理対象の信号のレベルを調整する第２のレベル調整手段である。また、これらの各部の動作に使用するパラメータの値や、スイッチの切り替え等は、ユーザが設定することができる。
【００２３】
そして、このような入力ｃｈ３０に入力した信号は、アッテネータ３１，イコライザ３２，コンプレッサ３３，フェーダ３４による信号処理を受けた後、オンスイッチ３５がオンであれば、パン３６に設定されている音像定位位置に従ってＬとＲに分配され、それぞれＬとＲのＳＴバス５０に入力される。
【００２４】
また、各ＭＩＸバス６０に対する信号入力経路のＰＦ／ＰＥＱスイッチ４１とＰＲＥ／ＰＯＳＴスイッチ４２の状態に応じた位置の信号が、該当のＭＩＸバス６０に入力される。そして、その入力の過程で、センドレベルフェーダ４３によってレベル調整がなされ、センドオンスイッチ４４がオンの場合のみ、ＭＩＸバス６０への信号の入力がなされる。
ＭＩＸバス６０へは、ＰＲＥ／ＰＯＳＴスイッチ４２がＰＯＳＴ側であれば、フェーダ３４及びオンスイッチ３５の後の信号が入力される。ＰＲＥ／ＰＯＳＴスイッチ４２がＰＲＥ側で、かつＰＦ／ＰＥＱスイッチ４１がＰＦ側であれば、イコライザ３２及びコンプレッサ３３の後でかつフェーダ３４の前の信号が入力される。また、ＰＲＥ／ＰＯＳＴスイッチ４２がＰＲＥ側で、かつＰＦ／ＰＥＱスイッチ４１がＰＥＱ側であれば、イコライザ３２及びアッテネータ３１の前の信号が入力される。
【００２５】
さらに、センドレベルフェーダ４３は、ノミナルレベル（０．０ｄＢ）に固定して実質的に無効化すること、ないし、ノミナルレベルでパン３６で設定される音像定位位置に従うＬとＲの分配のみを行うことも可能であり、このようなモードでは、ＰＲＥ／ＰＯＳＴスイッチ４２をＰＯＳＴ側に切り替え、ＭＩＸバス６０にＳＴバス５０に対する入力と同じ信号を入力するようにしている。
【００２６】
図２には、１つの入力ｃｈ３０の構成のみを詳細に示したが、他の２３の入力ｃｈも同様な構成を有し、ＳＴバス５０及び各ＭＩＸバス６０では、それら２４の入力ｃｈから入力する信号を混合することができる。
なお、以上のような入力ｃｈ３０や各バスを始めとするＤＳＰ１８の機能は、専用のハードウェアによって実現しても、汎用のＣＰＵに適当なソフトウェアを実行させることにより実現しても、これらを組み合わせて実現してもよい。
【００２７】
ところで、以上のようなデジタルミキサ１０においては、ＭＩＸバス６０は、Ｎを自然数として、２Ｎ−１番目と２Ｎ番目の２本のバスを組にし、その組毎に、入力ｃｈ３０からＭＩＸバス６０への信号入力経路に関する設定を受け付けるようにしている。
図３に、その設定を受け付けるＭＩＸバス設定画面の例を示す。
この画面、及び次に説明する図４の画面等は、デジタルミキサ１０の表示器１４に表示させるＧＵＩであり、ユーザは、この画面に表示されるボタンにタッチしたり、マウスでクリックしたりすることにより、所望の設定を行うことができる。この設定は、ＣＰＵ１１が所要のプログラムを実行してユーザによる操作を検出し、その操作に応じて、表示器１４の表示やＲＡＭ１３等に記憶しているパラメータの値を変更することにより、実現することができる。
【００２８】
そして、ＭＩＸバス設定画面７０には、ＭＩＸバス６０の各組毎にバスペア設定部７１を設け、その中に、バスモード設定部７２，送出設定部７３，パンリンク設定部７４を設けている。
このうち、バスモード設定部７２は、該当する組のＭＩＸバス６０を、１組のステレオバスとして使用するか２本のモノラルバスとして使用するかのバスモードの設定を受け付ける部分であり、「ＳＴＥＲＥＯ」と「ＭＯＮＯ＊２」のボタンにより、好みの設定の選択を受け付けるようにしている。また、図に示すように選択された設定に係るボタンを太線で表示する等して、なされている設定の内容を示すことも行っている。
【００２９】
そして、この部分で第ｎ組のＭＩＸバスがステレオに設定されている場合、奇数番のバス「ＭＩＸ（２ｎ−１）」をＬ側のバスとし、偶数番のバス「ＭＩＸ（２ｎ）」をＲ側のバスとして、該当する組のＭＩＸバス６０に対する送出経路上のセンドレベルフェーダ４３を連動して動作させ、入力ｃｈ３０からＬ側のバスとＲ側のバスへ入力する信号について、その総合レベルと、パン３６と同様なＬとＲへの分配（パン）とを設定できるようにしている。また、モノラルが選択されている場合には、各ＭＩＸバス６０をモノラルバスとしてセンドレベルフェーダ４３を独立して動作させ、バス毎に独立してレベル設定できるようにしている。
【００３０】
また、送出設定部７３は、入力ｃｈ３０から該当する組のＭＩＸバス６０への信号出力経路の選択及びセンドレベルフェーダ４３の可変／固定の送出設定の選択を受け付ける部分である。そして、各々近傍に配置された一群の操作子である「ＶＡＲＩ（ＰＲＥ  ＥＱ）」、「ＶＡＲＩ（ＰＲＥ  ＦＡＤＥＲ）」、「ＦＩＸＥＤ」のボタンにより、好みのモードの選択を択一的に受け付けると共に、選択されているモードの種類を表示するようにしている。各ボタンと対応する設定内容は、以下の表１に示す通りである。
【００３１】
【表１】
0004609234.tif 000002
【００３２】
すなわち、「ＶＡＲＩ（ＰＲＥ  ＥＱ）」のボタンにより、ＰＲＥ／ＰＯＳＴスイッチ４２がＰＲＥのときＭＩＸバス６０に入力する信号を各入力ｃｈ３０のイコライザ３２より前から取得し、かつセンドレベルフェーダ４３を有効にする第１のモードを選択でき、「ＶＡＲＩ（ＰＲＥ  ＦＡＤＥＲ）」のボタンにより、ＰＲＥ／ＰＯＳＴスイッチ４２がＰＲＥのときＭＩＸバス６０に入力する信号を各入力ｃｈ３０のイコライザ３２とフェーダ３４との間から取得し、かつセンドレベルフェーダ４３を有効にする第２のモードを選択でき、「ＦＩＸＥＤ」のボタンにより、ＭＩＸバス６０に入力する信号を各入力ｃｈ３０のフェーダ３４よりも後から取得し、かつセンドレベルフェーダ４３を無効にする第３のモードを選択できる。
【００３３】
なお、ＶＡＲＩは、センドレベルフェーダ４３が可変のモードであることを示し、ＦＩＸはこれが固定のモードであることを示す。ＦＩＸモードでは、バスモードがモノラルであれば、そのモノラルバスへのセンドレベルフェーダ４３はノミナルレベルで固定とされ、バスモードがステレオであれば、そのステレオバスへのセンドレベルフェーダ４３は、総合レベルがノミナルで固定、かつ、パン３６で設定される音像定位位置に従うＬＲ分配が行われるよう制御される。
【００３４】
また、ＶＡＲＩの場合、ＰＦ／ＰＥＱスイッチ４１の設定は送出設定部７３で受け付けるが、ＰＲＥ／ＰＯＳＴスイッチ４２の設定は、後述する送出設定画面により受け付けるようにしている。そして、ここでＰＯＳＴが設定された場合、混合バス設定画面で受け付けた設定の内容によらず、フェーダ３４及びオンスイッチ３５の後の信号がＭＩＸバス６０に入力されることになる。ＦＩＸの場合は、ＰＲＥ／ＰＯＳＴスイッチ４２をＰＯＳＴに固定するようにしており、ＰＦ／ＰＥＱスイッチ４１がどちらであっても、フェーダ３４及びオンスイッチ３５の後の信号がＭＩＸバス６０に入力される。
【００３５】
また、バスモードがステレオの場合、上述したようにセンドレベルフェーダ４３によりパンが実現されるが、パンリンク設定部７４は、そのパンの動作をパン３６に連動させるか否かの設定を受け付ける部分である。ただし、この設定は、バスモードがステレオかつ送出設定がＶＡＲＩの場合のみ意味があるので、この場合のみ「ＰＡＮＬＩＮＫ」のボタンを表示して、トグルで連動のオン／オフを切り替えられるようにしている。
【００３６】
なお、送出設定部７３における設定内容は、該当する組のＭＩＸバス６０への信号出力経路について、全ての入力ｃｈ３０において一律に反映されるようにしている。ここで設定を受け付ける内容は、ＭＩＸバス６０の用途に応じて定めることが多いものであるので、このようにすることにより、各入力ｃｈ３０について個別に設定を行う手間を省き、操作性を向上させることができる。さらに、上述の３つのモードを、各々近傍に配置された一群の操作子により択一的に選択できるようにしているので、ＰＦ／ＰＥＱスイッチ４１の状態とセンドレベルフェーダ４３の状態とを個別に設定する場合に比べ、操作が容易である。また、設定内容も容易に把握することができる。
【００３７】
そして、あまり複雑な設定を行うことを想定せず、かつ使用者の習熟度もあまり高くないと想定される、低機能、低価格のデジタルミキサにおいては、このような送出設定部７３を設けることが、操作性の向上や直感的な動作内容の把握可能性向上に特に有効である。ただし、送出設定部７３以外に、別途各入力ｃｈ３０について個別に同内容の設定を受け付ける手段を設けることを妨げるものではない。
パンリンク設定部７４における設定内容についても、同様である。
【００３８】
次に、図４に、送出設定画面の例を示す。
この送出設定画面８０も、ＭＩＸバス設定画面７０と同様、表示器１４に表示させるＧＵＩであり、各入力ｃｈ３０から特定のＭＩＸバス６０への信号出力経路に関するパラメータの設定を受け付けるための画面である。そして、送出設定画面８０には、混合バス選択部８１，入力ｃｈ選択部８２，ＰＲＥ／ＰＯＳＴ設定ボタン８３，オン設定ボタン８４，パンスイッチ８５，レベルスイッチ８６を設けている。
【００３９】
このうち、混合バス選択部８１は、どのＭＩＸバス６０への信号出力経路に関するパラメータの設定を行うかの選択を受け付ける部分であり、ユーザがこの部分にタッチした場合に、バスの一覧を表示してその中から所望のバスを選択できるようにしている。ここでは、図３のＭＩＸバス設定画面で「ＳＴＥＲＥＯ」かつ「ＶＡＲＩ（ＰＲＥ  ＦＡＤＥＲ）」に設定されたバス「ＭＩＸ５」が選択されている。また、送出設定画面８０には、サイズの制限から、全ての入力ｃｈ３０と対応する操作子を配置することができないため、１画面に８ｃｈ分の操作子を表示し、入力ｃｈ選択部８２により、画面に表示するｃｈの番号を８ｃｈ単位で切り替えることができるようにしている。
【００４０】
また、以下の操作子８３〜８６に係る設定については、入力ｃｈ３０とＭＩＸバス６０の各組み合わせについて、個別に受け付けることになる。
このうち、ＰＲＥ／ＰＯＳＴ設定ボタン８３は、ＰＲＥ／ＰＯＳＴスイッチ４２の状態の設定を受け付けるための操作子であり、送出設定がＶＡＲＩの場合にのみ表示される。そして、ＰＲＥ／ＰＯＳＴ設定ボタン８３の操作により、トグルでＰＲＥとＰＯＳＴを切り替えることができるようにしている。また、ボタンの輪郭線の太さ、色、模様等により、該当するボタンによりなされている設定の内容を表示するようにしている。図では、太線で示したボタンについてはＰＲＥ、細線で示したボタンについてはＰＯＳＴが設定されていることを示しているが、キャプションを変更して表示してもよい。
【００４１】
オン設定ボタン８４は、センドオンスイッチ４４の状態の設定を受け付けるための操作子であり、バスモードや送出設定に関わらず送出設定画面８０に常時表示される。そして、オン設定ボタン８４の操作により、トグルでオンとオフを切り替えることができるようにしている。また、ＰＲＥ／ＰＯＳＴ設定ボタン８３の場合と同様に、該当するボタンによりなされている設定の内容を表示するようにしている。図では、太線で示したボタンについてはＯＮ、細線で示したボタンについてはＯＦＦが設定されていることを示している。
【００４２】
パンスイッチ８５は、送出先がステレオバスの場合に、センドレベルフェーダ４３で実現されるパンの音像定位位置の設定を受け付けるための操作子であり、送出先のＭＩＸバス６０がステレオに設定されており、かつ、送出設定がＶＡＲＩの場合にのみ表示される。また、対になるＭＩＸバス６０に関する設定の一方が変更された場合には、他方の設定も自動的に同じ値になるように変更される。
【００４３】
レベルスイッチ８６は、センドレベルフェーダ４３におけるレベル調整量の設定を受け付けるための操作子であり、送出設定がＶＡＲＩの場合にのみ表示される。ここで、送出先のＭＩＸバス６０がモノラルの場合には、レベルスイッチ８６の内容（デシベル単位で設定されたレベル）をセンドレベルフェーダ４３の動作に直接反映させればよく、ステレオの場合は、レベルスイッチ８６の内容を総合レベルとして、それに対しパンスイッチ８５の内容（マイナスがＬ，プラスがＲとして、整数で設定された定位位置）に応じた分配調整を行って、センドレベルフェーダ４３によるレベルの調整内容を決定するようにしている。
【００４４】
なお、オン設定ボタン８４でセンドオンスイッチ４４のオフが設定されている場合には、対応する送出経路での信号の送出が行われないことから、パンスイッチ８５とレベルスイッチ８６による設定に意味がないため、これらのスイッチを操作できないようにしている。図では、操作子を破線で記載することにより、このことを示している。
また、送出先のＭＩＸバス６０について、送出設定がＦＩＸである場合、ＰＲＥ／ＰＯＳＴスイッチ４２はＰＯＳＴに固定するようにしているし、センドレベルフェーダ４３もノミナルレベルに固定するようにしているため、ＰＲＥ／ＰＯＳＴ設定ボタン８３，パンスイッチ８５，レベルスイッチ８６は、操作子自体の表示をやめるようにしているが、ぼかしたり薄く表示したりして、操作を受け付けないようにしてもよい。
【００４５】
デジタルミキサ１０においては、以上のようなＭＩＸバス設定画面７０及び送出設定画面８０でユーザによる設定指示を受け付けることにより、ユーザが各入力ｃｈからＭＩＸバス６０への信号の送出に係るパラメータの設定を容易に行うことができるようにしている。なお、イコライザ３２やフェーダ３４、パン３６等の動作内容に関するパラメータは、入力ｃｈ３０の動作に関するパラメータであるので、入力ｃｈと対応させて設ける図示しない別の画面で設定の指示を受け付けるようにしている。
【００４６】
以上でこの実施形態の説明を終了するが、装置の構成や具体的な処理内容等が上述の実施形態で説明したものに限られないことはもちろんである。
例えば、上述した実施形態においては、混合バス設定画面においてＭＩＸバスの組毎に送出設定を受け付ける例について説明したが、ＭＩＸバス１本毎にこのような設定を受け付けるようにしてもよい。ただし、その場合、ステレオであればバスの組に設定していたパラメータを、モノラルでは個別のバスに設定することになり、習熟度のあまり高くないユーザを混乱させかねない。
また、入力ｃｈに、上述した構成以外の、例えばノイズゲートやトゥーステレオスイッチ等を設けてもよい。また、図２に示したもの以外の位置からＭＩＸバスに信号を送信できるようにしてもよい。入力ｃｈやバスの数も、上述したものに限られない。
【００４７】
また、この発明が、単体のデジタルミキサ以外にも、ハードディスクレコーダ、電子楽器、カラオケ装置、音源装置、ＭＩＤＩシーケンサ等の音響信号処理装置にミキサの機能を持たせたような装置にも適用なことは、もちろんである。また、ＰＣに適当なソフトウェアを実行させてミキサとして機能させる場合にも当然適用可能である。
【産業上の利用可能性】
【００４８】
以上の説明から明らかなように、この発明のデジタルミキサによれば、複数の入力チャンネルから複数の混合部への信号出力に関する設定を、内容を容易に把握できる状態で簡単な操作で行えるようにすることができる。
従って、操作性の高いデジタルミキサを提供することができる。
【図面の簡単な説明】
【００４９】
【図１】この発明の実施形態であるデジタルミキサの構成を示すブロック図である。
【図２】図１に示したＤＳＰのうち、各入力ｃｈからＳＴバス及びＭＩＸバスへの信号の入力に関する部分の構成を示す図である。
【図３】図１に示したデジタルミキサにおいて使用するＭＩＸバス設定画面の例を示す図である。
【図４】同じく送出設定画面の例を示す図である。
【符号の説明】
【００５０】
１０…デジタルミキサ、１１…ＣＰＵ，１２…フラッシュメモリ、１３…ＲＡＭ、１４…表示器、１５…操作子、１６…外部機器Ｉ／Ｏ、１７…波形Ｉ／Ｏ、１８…ＤＳＰ、１９…システムバス、３０…入力ｃｈ、３１…アッテネータ、３２…イコライザ、３３…コンプレッサ、３４…フェーダ、３５…オンスイッチ、３６…パン、４１…ＰＦ／ＰＥＱスイッチ、４２…ＰＲＥ／ＰＯＳＴスイッチ、４３…センドレベルフェーダ、４４…センドオンスイッチ、５０…ＳＴバス、６０…ＭＩＸバス、７０…ＭＩＸバス設定画面、８０…送出設定画面
【図１】
0004609234.tif 000003
【図２】
0004609234.tif 000004
【図３】
0004609234.tif 000005
【図４】
0004609234.tif 000006